(57)【要約】【課題】厚さを薄くすることが可能であり、パレットロック装置も無くすことができる昇降リフトを提供する。【解決手段】昇降駆動装置によって昇降駆動されパレット６をその横行を拘束した状態で載せるリフトフレーム１２と、リフトフレーム１２の前後に上下にスライド可能に設けられパレット６を横行させるためのローラ１６を有する一対のローラユニット１４とを備える。【選択図】図５
2010265671.tif 000002
【特許請求の範囲】
【請求項１】
パレットを載せて昇降し、格納部又は走行台車との間でパレットを横送り可能な昇降リフトであって、
昇降駆動装置によって昇降駆動され、パレットをその横行を拘束した状態で載せるリフトフレームと、
該リフトフレームの前後に上下にスライド可能に設けられ、パレットを横行させるためのローラを有する一対のローラユニットと、を備えることを特徴とする昇降リフト。
【請求項２】
昇降リフトが昇降中は、前記ローラユニットは自重で上下可動範囲の下端に位置し、パレットは前記ローラユニットによって支持されずに前記リフトフレームによって支持され、
昇降リフトが目的階に位置するときは、その目的階に設けられたサポート部によって前記ローラユニットが支持されて所定高さに保持され、前記ローラユニットの前記リフトフレームに対する上下相対位置が前記上下可動範囲の下端よりも高い位置となることで、パレットが前記ローラユニットによって支持される一方、パレットと前記リフトフレームが分離してパレットが横行可能な状態になる、ことを特徴とする請求項１記載の昇降リフト。
【発明の詳細な説明】
【技術分野】
【０００１】
本発明は、パレットを載せて昇降し、格納部又は走行台車との間でパレットを横送り可能な昇降リフトに関する。
【背景技術】
【０００２】
従来、地下空間を有効に利用する大規模駐車場として、平面往復式駐車装置が知られている（例えば下記特許文献１）。
図１は、従来の平面往復式駐車装置の一例を示す概略構成図である。平面往復式駐車装置は、入庫バース２ａのパレット６上に車両１を乗り入れ、パレット６を載せた入庫リフト３ａが下降して所定のフロアに停止し、走行台車４上に車両１ を載置したパレット６を移載し、走行台車４ が直線状の走行レーン１１上を水平（ 前後） に走行した後に、走行レーン１１の両側に隣接して配置された複数の格納棚５のうち所望の格納棚の前で停止して、車両１を載置したパレット６を格納棚５に移載して格納（駐車）するようになっている。
【０００３】
出庫の場合には、この逆に格納棚５から車両１を載置した所定のパレット６を走行台車４上に移載してこれを前後方向に走行させて、出庫リフト３ｂが上昇して出庫バース２ｂから車両１を出庫するようになっている。かかる平面往復式駐車場には、この例の他に、下部乗り入れ方式、その他の種々の乗り入れ方式がある。なお、上述の入庫バース２ａと出庫バース２ｂ、及び入庫リフト３ａと出庫リフト３ｂは共通であってもよい。
【０００４】
図２は、上述した平面往復式駐車場に適用される昇降リフト３０（入庫リフト３ａ又は出庫リフト３ｂ）の模式的構成図（正面図）である。図２において、左右方向がパレット６の前後方向（長辺方向）であり、紙面に垂直な方向がパレット６の左右方向（短辺方向）である。
【０００５】
昇降リフト３０は、図示しない昇降駆動装置によって昇降駆動されるリフトフレーム３１と、リフトフレーム３１上に載りパレット６を支持する昇降フレーム３３とを備える。
【０００６】
リフトフレーム３１の上面にはロケートピン３２が設けられており、リフトフレーム３１上に昇降フレーム３３が載った状態では、ロケートピン３２が昇降フレーム３３の下面に設けられたピン穴に挿入されることで、昇降フレーム３３が水平方向にずれることを防止するようになっている。
【０００７】
昇降フレーム３３の前寄りと後寄りの位置には、パレット６を横送り可能に支持するための複数のローラ３４と、パレット６の下部と係合してパレット６の横行を阻止するパレットロック装置３５が設けられている。パレットロック装置３５は、パレット６の下部と係合してパレット６の横行を阻止する位置と、パレット６の横行を許容する位置との間を移動するロック部３６を有している。
【０００８】
上記のように構成された昇降リフト３０において、パレット６を載せて昇降するときは、リフトフレーム３１上に昇降フレーム３３を載せ、昇降フレーム３３上にパレット６を載せた状態となる。このとき、パレットロック装置３５のロック部３６は、パレット６の横行を阻止する位置に移動しており、パレット６の横行が阻止されている。
【０００９】
パレット６を目的階まで昇降させ、パレット６を走行台車４に移載するときは、以下のように動作する。ここで、昇降リフト６の昇降路７には、各階に昇降フレーム３３を載せて支持するためのサポート部１９が設けられている。最下階に設けられたサポート部１９は固定式であり、その他の階に設けられたサポート部１９は昇降路７に対して進出後退動作する可動式である。
【００１０】
目的階が最下階以外である場合、図２（Ａ）に示すように、昇降リフト３０が目的階のサポート部１９よりも高い位置にあるときに、サポート部１９を昇降路７に突出させておく。その状態で、昇降リフト３０を下降させていく。目的階が最下階である場合、サポート部１９は固定式となっているので、そのまま最下階に向かって昇降リフト３０を下降させる。
【００１１】
昇降リフト３０を下降させていくと、図２（Ｂ）に示すように、昇降フレーム３３がサポート部１９の上に載ることで支持される。リフトフレーム３１をさらに下降させると、図２（Ｃ）に示すように、昇降フレーム３３とリフトフレーム３１が分離する。このとき、リフトフレーム３１上のロケートピン３２が昇降フレーム３３から抜ける。
【００１２】
次に、図２（Ｄ）に示すように、パレットロック装置３５のロック部３６を移動させてパレット６に対するロックを解除し、パレット６を横行可能な状態にする。この状態になったら、走行台車４に搭載されたトンボ機構などのパレット横行装置により、昇降フレーム３３上のパレット６を走行台車４に引き込んで移載する。なお、走行台車４から昇降リフト３０へのパレット６の移載は、上述と逆の動作により行う。
【００１３】
また、他の機械式駐車装置として、車両の入出庫を行う入出庫部と、各パレットに設けた連結器により横方向に相互に連結した状態で横行させる移送路を複数層有する格納部と、入出庫部と格納部との間を昇降する入出庫用昇降リフトと、各層の移送路間でパレットを上下に移送する循環用昇降リフトとを備えた箱型循環式駐車装置がある（例えば下記特許文献２を参照）。
【００１４】
また、さらに他の機械式駐車装置として、車両の入出庫を行う入出庫部と、横移送路と縦移送路により形成される矩形循環路を有し矩形循環路において各パレットに設けられた連結器によりパレットを横方向に相互に連結して移送する格納部と、入出庫部と格納部との間を昇降する昇降リフトとを備えた水平循環式駐車装置がある（例えば下記特許文献３を参照）。
【００１５】
このような箱型循環式駐車装置や水平循環式駐車装置においても、図２に示したのと同様の構成の昇降リフト３０が用いられる場合がある。
【先行技術文献】
【特許文献】
【００１６】
【特許文献１】特開２００４−１８２２２号公報
【特許文献２】特開２００４−１９２８８号公報
【特許文献３】特開２００８−２６１１４９号公報
【発明の概要】
【発明が解決しようとする課題】
【００１７】
上述した従来の昇降リフト３０では、リフトフレーム３１とパレット６の間に昇降フレーム３３が配置されるため、昇降リフト３０の厚さＨが厚くなる。昇降路７の最下部にはピットが設けられており、昇降リフト３０の厚さが厚いと、その分、深いピットを設ける必要があり、建造コストが高くなる。また、必要なスペースが確保できない場合、駐車装置を建造することができない。
また、従来の昇降リフト３０では、パレット６の横行を阻止するためにパレットロック装置３５を設ける必要があるため、その分、コストが嵩むだけでなく、重量も増える。
【００１８】
本発明は、上記の問題に鑑みてなされたものであり、厚さを薄くすることが可能であり、パレットロック装置も無くすことができる昇降リフトを提供することを課題とする。
【課題を解決するための手段】
【００１９】
上記の問題を解決するため、本発明は、パレットを載せて昇降し、格納部又は走行台車との間でパレットを横送り可能な昇降リフトであって、昇降駆動装置によって昇降駆動され、パレットをその横行を拘束した状態で載せるリフトフレームと、該リフトフレームの前後に上下にスライド可能に設けられ、パレットを横行させるためのローラを有する一対のローラユニットと、を備えることを特徴とする。
【００２０】
また上記の昇降リフトにおいて、昇降リフトが昇降中は、前記ローラユニットは自重で上下可動範囲の下端に位置し、パレットは前記ローラユニットによって支持されずに前記リフトフレームによって支持され、昇降リフトが目的階に位置するときは、その目的階に設けられたサポート部によって前記ローラユニットが支持されて所定高さに保持され、前記ローラユニットの前記リフトフレームに対する上下相対位置が前記上下可動範囲の下端よりも高い位置となることで、パレットが前記ローラユニットによって支持される一方、パレットと前記リフトフレームが分離してパレットが横行可能な状態になる、ことを特徴とする。
【発明の効果】
【００２１】
上記の本発明の構成によれば、一対のローラユニットがリフトフレームの前後に上下スライド可能に設けられているので、昇降リフトが昇降中は、ローラユニットは自重で上下可動範囲の下端に位置し、パレットはローラユニットによって支持されずにリフトフレームによって支持される。一方、昇降リフトが目的階に位置するときは、その目的階に設けられたサポート部によってローラユニットが支持されて所定高さに保持され、ローラユニットのリフトフレームに対する上下相対位置が上下可動範囲の下端よりも高い所定位置となる。これにより、パレットがローラユニットによって支持される一方、パレットとリフトフレームが分離してパレットが横行可能な状態になる。
【００２２】
このように、リフトフレームの前後に上下にスライドするローラユニットを設け、リフトフレームの上に直接パレットを載せる構成としたので、従来のような昇降フレームが不要であり、従来の昇降フレームの厚さ分だけ昇降リフトを薄くすることができる。
また、本発明では、リフトフレームとパレットが分離することでパレットが横行可能な状態となるので、従来のパレットロック装置をなくすことができる。
【図面の簡単な説明】
【００２３】
【図１】特許文献１に記載された従来の平面往復式駐車装置の概略構成図である。
【図２】従来の平面往復式駐車場に適用される昇降リフトの模式的構成図（正面図）である。
【図３】本発明に係る昇降リフトの実施形態を示す概略斜視図である。
【図４】本発明に係る昇降リフトの実施形態を示す正面構成図である。
【図５】本発明に係る昇降リフトの実施形態の動作を説明する図である。
【発明を実施するための形態】
【００２４】
以下、本発明の好ましい実施形態を添付図面に基づいて詳細に説明する。なお、各図において共通する部分には同一の符号を付し、重複した説明を省略する。
【００２５】
図３は、本発明に係る昇降リフト１０の実施形態を示す概略斜視図である。図４は、本発明に係る昇降リフト１０の実施形態を示す正面構成図である。
【００２６】
この昇降リフト１０は、パレット６を載せて昇降し、パレット６を横送り可能な装置であり、上述した平面往復式駐車装置、箱型循環式駐車装置、水平循環式駐車装置などに適用可能である。
【００２７】
昇降リフト１０が平面往復式駐車装置に適用される場合、昇降リフト１０は、走行レーンに沿って走行する走行台車４（図１参照）との間でパレット６を横送りして移載する。
昇降リフト１０が箱型循環式駐車装置に適用される場合、昇降リフト１０は、格納部の移送路との間でパレット６を横送りして移載する。
昇降リフト１０が水平循環式駐車装置に適用される場合、昇降リフト１０は、横移送路と縦移送路で形成される矩形循環路との間でパレット６を横送りして移載する。
【００２８】
図３及び図４に示すように、昇降リフト１０は、リフトフレーム１２と一対のローラユニット１４とを備える。
【００２９】
リフトフレーム１２は、図示しない昇降駆動装置によって昇降路７を昇降駆動され、パレット６をその横行を拘束した状態で載せるようになっている。また上記の昇降駆動装置は、図示しない制御装置によって制御される。
【００３０】
リフトフレーム１２の上面には、水平移動拘束手段としての複数のロケートピン１３が上方に突出して設けられおり、このロケートピン１３がパレット６の裏面側に形成されたピン穴に挿入されることで、リフトフレーム１２の上に載ったパレット６の水平方向の移動が拘束される。
【００３１】
なお水平移動拘束手段としては、ロケートピン１３を用いた構成に限られず、その他の凹凸構造など、リフトフレーム１２上に載ったパレット６の水平方向の移動を拘束できるものであれは、他の構成であってもよい。
【００３２】
一対のローラユニット１４は、リフトフレーム１２の前後に上下にスライド可能に設けられている。各ローラユニット１４は、パレット６を横行させるためのローラ１６を有する。
ローラ１６は、リフトフレーム１２の左右方向（図３の矢印Ａ方向）に延びるスライドフレーム１５に、左右方向に間隔を置いて前後方向（図３の矢印Ｂ方向）の軸心を中心に回転自在に複数設けられている。
【００３３】
スライドフレーム１５は、リフトフレーム１２の前方側面と後方側面にそれぞれ設けられた上下スライド機構１７によってリフトフレーム１２に対して上下にスライド可能となっている。
スライドフレーム１５は、サポート部１９（図５参照）によって支持される場合以外は、リフトフレーム１２に設けられたストッパ１８によって所定の下端位置で支持される。
【００３４】
次に、図５を参照し、上記のように構成された昇降リフト１０の動作について説明する。
【００３５】
昇降リフト１０がパレット６を載せて昇降しているとき、ローラユニット１４は自重で上下可動範囲の下端に位置し、パレット６はローラユニット１４によって支持されずにリフトフレーム１２の上に載って支持された状態となる。このとき、リフトフレーム１２に設けられたロケートピン１３がパレット６に設けられたピン穴に挿入された状態となっているので、パレット６は水平方向の移動が拘束された状態となっている。
【００３６】
ここで、昇降リフト１０の昇降路７には、各階にローラユニット１４を載せて支持するサポート部１９が設けられている。最下階に設けられたサポート部１９は固定式であるが、その他の階に設けられたサポート部１９は、図５（Ａ）に示すように、昇降路７に対して進出後退運動をする可動式となっている。
【００３７】
サポート部１９が可動式である場合、サポート部１９は、サポート装置の一部として構成される。このようなサポート装置によるサポート部１９の進出後退動作は、直線運動でも、揺動運動でもよい。なお、サポート装置におけるサポート部１９の動作は、図示しない制御装置により制御される。
【００３８】
パレット６を目的階まで昇降させ、パレット６を走行台車や格納部に移載するときは、以下のように動作する。
【００３９】
図５（Ａ）に示すように、目的階が最下階以外である場合、昇降リフト１０が目的階のサポート部１９よりも高い位置にあるときに、サポート部１９を昇降路７に突出させておく。その状態で、昇降リフト１０を下降させていく。目的階が最下階である場合、サポート部１９は固定式となっているので、そのまま最下階に向かって昇降リフト１０を下降させる。
【００４０】
昇降リフト１０が下降していくと、図５（Ｂ）に示すように、ローラユニット１４がサポート部１９によって支持される。ローラユニット１４はサポート部１９に支持されて所定高さに保持されるが、ローラユニット１４はリフトフレーム１２に対して上下スライド可能に設けられているので、リフトフレーム１２はパレット６を載せた状態でさらに下降する。
【００４１】
すると、ローラユニット１４のリフトフレーム１２に対する上下相対位置が上下可動範囲の下端よりも高い位置となる。リフトフレーム１２が下降していくと、パレット６がリフトフレーム１２上からローラユニット１４のローラ１６上へ乗せ換えられ、これにより、パレット６がローラユニット１４によって支持される。
【００４２】
パレット６がリフトフレーム１２上からローラユニット１４のローラ１６上へ乗せ換えられ、さらにリフトフレーム１２が下降すると、図５（Ｃ）に示すように、パレット６とリフトフレーム１２が分離する。これにより、パレット６が横行可能な状態になる。
【００４３】
この状態になったら、走行台車又は格納部に設けられた図示しないパレット横行装置により、ローラユニット１４上のパレット６を走行台車又は格納部に引き込んで移載する。なお、走行台車又は格納部から昇降リフト１０へのパレット６の移載は、上述と逆の動作により行う。
【００４４】
上述した本発明の実施形態によれば、リフトフレーム１２の前後に上下にスライドするローラユニット１４を設け、リフトフレーム１２の上に直接パレット６を載せる構成としたので、従来のような昇降フレーム（図２において符号３３で示したもの）がない。したがって、昇降フレームがない分、昇降リフト１０を薄くすることができる。このため、ピットを浅くすることができ、建造コストを削減でき、スペースの確保も容易となる。
【００４５】
また、本発明は、リフトフレーム１２とパレット６が分離することでパレット６が横行可能な状態となるので、従来のパレットロック装置（図２において符号３５で示したもの）は不要である。したがって、パレットロック装置がない分、コストを削減でき、昇降リフト１０の軽量化も可能となる。
【００４６】
なお、上記において、本発明の実施形態について説明を行ったが、上記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【符号の説明】
【００４７】
６  パレット
７  昇降路
１０  昇降リフト
１２  リフトフレーム
１３  ロケートピン
１４  ローラユニット
１５  スライドフレーム
１６  ローラ
１７  上下スライド機構
１８  ストッパ
１９  サポート部
【図１】
2010265671.tif 000003
【図２】
2010265671.tif 000004
【図３】
2010265671.tif 000005
【図４】
2010265671.tif 000006
【図５】
2010265671.tif 000007